(57)【要約】【課題】電池蓋を開けた際に、電池残量やリモコンが誤操作されたことをユーザに知らせることにより利便性を向上したリモコン装置及び遠隔操作システムを提供する。【解決手段】電池１６の残量が少ないときなどに、リモコン装置１０の電池蓋１７を開けた際、切換えスイッチ１４が自動的に切り換えられ、自動的にＬＥＤ１３が点灯する。これにより、ユーザはＬＥＤ１３の点灯に基づき、電池１６の残量が少ないことを一目して認識することができる。【選択図】図４
2007324854.tif 000002
【特許請求の範囲】
【請求項１】
操作ボタンと、電源として着脱可能な電池と、この電池から供給される電源で点灯する発光手段と、前記電池が露出しないように覆う電池蓋と、この電池蓋を開けたことを検出する切換えスイッチとを備えたリモコン装置において、前記電池蓋を開けたことを検出し前記発光手段を点灯する前記切り換えスイッチを設けたことを特徴とするリモコン装置。
【請求項２】
前記切換えスイッチが前記電池蓋を開けなければ露出しない前記電池を収納する電池収納部に配置され、前記切換えスイッチが前記電池収納部を開閉する前記電池蓋で覆われていることを特徴とする請求項１に記載のリモコン装置。
【請求項３】
操作ボタンと、電源として着脱可能な電池と、この電池が露出しないように覆う電池蓋と、この電池蓋を開けたことを検出する切換えスイッチとをリモコン装置に備え、前記電池蓋を開けたことを検出した際に前記切換えスイッチが切り換えられ、前記リモコン装置から自動的に出力されるリモコン信号を、映像表示装置が受信すると、この受信したリモコン信号に基づき、映像表示装置の表示部に文字を表示する表示制御手段を前記映像表示装置に設けたことを特徴とする遠隔操作システム。
【発明の詳細な説明】
【技術分野】
【０００１】
本発明は、例えば記録再生装置やテレビ、あるいは記録再生装置を内蔵した複合型テレビジョン装置などの機器を遠隔操作するリモコン装置及びこのリモコン装置を備えた遠隔操作システムに関し、より詳しくは、リモコン装置に備えた電池を覆う蓋を開けたことを検出し、電池残量やリモコンが誤操作されたことなどを表示するリモコン装置及びこのリモコン装置を備えた遠隔操作システムに関する。
【背景技術】
【０００２】
従来、テレビとＤＶＤプレーヤとの一体型装置のような複合型機器を遠隔操作するリモコン装置には、テレビの操作とＤＶＤプレーヤとの操作を切り替えるモード切替スイッチが備わっている。そして、モード切替スイッチがＤＶＤプレーヤ側になっていれば、リモコン装置の操作ボタンを押して操作したとしても、テレビの操作はできない。このようなテレビの操作ができない状況におちいると、例えばユーザーであれば、リモコン装置の故障では疑うものの、先ず電池が無くなったのではと電池ケースの蓋を開けて、新しい電池に交換することから、必然的に電池ケースの蓋を開けることになる。特許文献１には、リモコン本体に開閉自在な蓋を設けるとともに、蓋の裏面側に蓋の開閉状態を検出する蓋開閉スイッチを設け、蓋を開けた際などの蓋の開閉動作に連動して蓋開閉スイッチによりリモコン本体に設けた操作ボタンの機能や表示部における表示内容を自動的に切換えるように構成した空気調和機等のリモコン装置が開示されている。
【０００３】
【特許文献１】特開２００３−６１１７０号公報
【発明の開示】
【発明が解決しようとする課題】
【０００４】
しかし、特許文献１で開示されるリモコン装置は、蓋開閉と連動する蓋開閉スイッチにより、リモコン本体に設けた操作ボタンの機能や表示部における表示内容を自動的に切換えるように構成し、蓋が壊れた際、蓋開閉スイッチが機能しなくなるため、蓋開閉スイッチと同じ機能を有する機能切換スイッチを蓋の裏面側に設けており、これらの操作ボタンの機能や表示部における表示内容を切り換えるものではあるものの、蓋を開けた際に、電池残量やリモコンが誤操作されたことをユーザに知らせることはできない。
【０００５】
本発明は上記課題を鑑みてなされたものであり、電池蓋を開けた際に、電池残量やリモコンが誤操作されたことをユーザに知らせることにより利便性を向上したリモコン装置及び遠隔操作システムを提供することを目的とする。
【課題を解決するための手段】
【０００６】
請求項１に係るリモコン装置は、操作ボタンと、電源として着脱可能な電池と、この電池から供給される電源で点灯する発光手段と、前記電池が露出しないように覆う電池蓋と、この電池蓋を開けたことを検出する切換えスイッチとを備えたリモコン装置において、前記電池蓋を開けたことを検出し前記発光手段を点灯する前記切り換えスイッチを設けたことを特徴とする。
【０００７】
請求項１の構成により、ユーザがリモコン装置の不具合などを感じたとき、電池蓋を開けると、電池の残量があるときには切換えスイッチが切り換り発光手段を点灯する。なお、電池残量が無いときには発光手段は点灯しない。
【０００８】
請求項２に係るリモコン装置は、請求項1記載のリモコン装置において、前記切換えスイッチが前記電池蓋を開けなければ露出しない前記電池を収納する電池収納部に配置され、前記切換えスイッチが前記電池収納部を開閉する前記電池蓋で覆われていることを特徴とする。
【０００９】
請求項２の構成により、切換えスイッチは、電池蓋を開いて操作する必要があり、通常、電池蓋で覆われて外部から直接、操作できない部分に配置されている。このため、リモコン装置を操作する際、誤って切換えスイッチを操作する心配がなく、不用意に切換えスイッチが切り換わることがない。
【００１０】
請求項３に係る遠隔操作システムは、操作ボタンと、電源として着脱可能な電池と、この電池が露出しないように覆う電池蓋と、この電池蓋を開けたことを検出する切換えスイッチとをリモコン装置に備え、前記電池蓋を開けたことを検出した際に前記切換えスイッチが切り換えられ、前記リモコン装置から自動的に出力されるリモコン信号を、映像表示装置が受信すると、この受信したリモコン信号に基づき、映像表示装置の表示部に文字を表示する表示制御手段を前記映像表示装置に設けたことを特徴とする。
【００１１】
請求項３の構成により、ユーザがリモコン装置の不具合を感じたときなどに、電池蓋を開けると、切換えスイッチが切り換わるのに伴い、リモコン装置はリモコン信号を出力する。そして、この出力されたリモコン信号を映像表示装置が受信すると、その表示部に、電池の残量の少ないことや或いはリモコンの誤操作などの不具合などを文字で表示する。従って、ユーザはこうした不具合を認識することができる。
【発明の効果】
【００１２】
請求項１に係るリモコン装置によれば、操作ボタンと、電源として着脱可能な電池と、この電池から供給される電源で点灯する発光手段と、前記電池が露出しないように覆う電池蓋と、この電池蓋を開けたことを検出する切換えスイッチとを備えたリモコン装置において、前記電池蓋を開けたことを検出し前記発光手段を点灯する前記切り換えスイッチを設けたから、電池蓋を開けた際、発光手段を点灯することで、ユーザは発光手段の点灯に基づき、電池の残量があることを認識することができる。
【００１３】
請求項２に係るリモコン装置によれば、請求項1記載のリモコン装置において、前記切換えスイッチが前記電池蓋を開けなければ露出しない前記電池を収納する電池収納部に配置され、前記切換えスイッチが前記電池収納部を開閉する前記電池蓋で覆われていることから、
誤って切換えスイッチを操作する心配がなく、不用意に切換えスイッチが切り換わることがないので誤操作を確実に防止することができる。
【００１４】
請求項３に係る遠隔操作システムによれば、操作ボタンと、電源として着脱可能な電池と、この電池が露出しないように覆う電池蓋と、この電池蓋を開けたことを検出する切換えスイッチとをリモコン装置に備え、前記電池蓋を開けたことを検出した際に前記切換えスイッチが切り換えられ、前記リモコン装置から自動的に出力されるリモコン信号を、映像表示装置が受信すると、この受信したリモコン信号に基づき、映像表示装置の表示部に文字を表示する表示制御手段を前記映像表示装置に設けたから、リモコン装置とは別体の映像表示装置の表示部に、電池の残量が少ないことや或いはリモコンの誤操作などを表示部に文字で表示することで、このような情報を一目して認識することができる。
【発明を実施するための最良の形態】
【００１５】
以下、本発明を実施するための最良の形態としての実施例を図１〜図５を参照して説明する。もちろん、本発明は、その発明の趣旨に反さない範囲で、実施例において説明した以外のものに対しても容易に適用可能なことは説明を要するまでもない。
【００１６】
図１は本発明の一例におけるリモートコントローラ装置（以下、単にリモコン装置と称す）の斜視図、図２は電池収納部の正面図、図３は電池収納部の断面図、図４は表示部を備えたリモコン装置の斜視図、図５は電池蓋を開けた際にリモコン装置からリモコン信号がテレビに出力されている状態を示す遠隔操作システムの説明図である。
【００１７】
図１に示すように、リモコン装置１０の前面には、映像表示装置たるテレビ１やＤＶＤプレーヤ２等を遠隔操作するための種々の操作ボタン１１が露出して配列されている。これら各操作ボタン１１を押すことによって、各操作ボタンに対応してリモコン装置のケース１２内に設けた図示しないスイッチが押圧操作され、図５に示す記録媒体たるＤＶＤを再生可能なＤＶＤプレーヤ２を備えたテレビ１にリモコン信号が出力される。
また、図２に示す１３はケース１の内部に設けた光源としての発光手段たるＬＥＤ（Ｌｉｇｈｔ  Ｅｍｉｔｔｉｎｇ  Ｄｉｏｄｅ）であり、１４は電池蓋１７が開けられたことを検出しＬＥＤ１３の点灯を制御する切換えスイッチであり、この切換えスイッチ１４によってＬＥＤ１３を点灯させる。
【００１８】
図３に示すように、ＬＥＤ１３の点灯を切り換えるための切換えスイッチ１４は、ケース１２の裏面側に形成する電池収納部１５内に配置されている。
【００１９】
また、電池収納部１５には、リモコン装置１０の電源となる電池１６が収納され、ケースに対して着脱自在な電池蓋１７によって覆われている。また、電池収納部１５には、この電池収納部１５に隣接してケース１２の裏面側から段差状に凹設した段差凹部１８が形成され、その段差凹部１８に前記切換えスイッチ１４が配置されている。すなわち、ＬＥＤ１３の点灯を切り換える切換えスイッチ１４は、電池収納部１５に収納した電池１２と共に前記電池蓋１７によって覆われた位置に設けられている。
【００２０】
以上のように構成される本実施例によれば、ユーザが、リモコン装置の使用に際し、リモコン装置が動作しないときなどに、電池切れを疑ってケースの電池蓋をあけた際、ＬＥＤ１３が点灯する。すなわち、電池蓋１７を開けることで、電池蓋１７が閉じた状態において、電池蓋１７に形成した突起１７Ａで押圧されている切換えスイッチ１４が、前記突起１７Ａと離間することで自動的に切り換り、電池の残量があるときにはＬＥＤ１３を点灯させるようにすることで、電池の残量があることをＬＥＤ１３の点灯により、一目して知ることができる。なお、切換えスイッチ１４は、電池蓋１７を開いて操作されるから、通常、電池蓋１７で覆われていてリモコン装置１０の外部から直接、操作できない部分に配置されている。このため、リモコン装置１０のケース１２の表面に設けた操作ボタン１１を操作する際、誤って切換えスイッチ１４を操作する心配がない。したがって、通常のリモコン操作、つまりケースから外部に露出した操作ボタン１１の操作の際に、誤操作により切換えスイッチ１４が切り換り、ＬＥＤ１３が点灯してしまうことを確実に防止することができる。
【００２１】
次に、リモコン装置を構成する遠隔操作システムについて、図４及び図５を参照しながら以下に説明する。この遠隔操作システム２０は、図５に示すように、前述したリモコン装置１０と映像表示装置たるテレビ１により構成されている。テレビ１にはＤＶＤプレーヤ２が一体に備えられており、リモコン装置１０でテレビ本体の操作とＤＶＤプレーヤ２の操作をすることができる。また、リモコン装置１０には操作ボタン１１に含むモード切替ボタン１１Ａが備えられており、ユーザがモード切替ボタン１１Ａを押してテレビモードにしたときにはテレビ本体の操作ができ、モード切替ボタン１１Ａを押してＤＶＤモードにしたときにはＤＶＤプレーヤ２の操作ができるようになっている。そして、ユーザが、リモコン装置１０のモード切替ボタン１１Ａの操作を行なった際に、テレビ本体の操作ができなかったとき或いは電池１６の残量が少ないと疑ったときなどに電池蓋１７を開けると、切換えスイッチ１４が切り換えられ、リモコン装置１０からリモコン信号が自動的に出力され、この出力されたリモコン信号をテレビ１が受信した際には、この受信したリモコン信号に基づき、テレビ１の前部や図４に示すリモコン装置１０に設けた映像などを表示する表示部３に、リモコン装置１０の残量が少なければ、電池１６の残量が少ない旨などを報知として表示したり、或いは、ユーザがテレビ１に構成されたＤＶＤプレーヤ２に搬入されているＤＶＤを再生するために、リモコン装置１０の操作ボタン１１で所定の操作をしたつもりが、ＤＶＤプレーヤ２の操作可能なＤＶＤモードになってなく、テレビ１の操作のみ可能なテレビモードになっていれば、テレビ１やリモコン装置１０の表示部３，３に、前者であれば図４に示すように「テレビモードになっています」、後者であれば、図５に示すように、「リモコンはテレビモードになっていますので、ＤＶＤの操作はできません。」という旨を、テレビ１や図４に示すリモコン装置１０に設けたマイコンなどを構成する表示制御手段２１がテレビ１やリモコン装置１０の表示部３，３に表示する。これにより、ユーザがリモコン装置１０の不具合や操作ボタン１１の所定の操作が行なわれないと感じたとき、ユーザが、先ず電池蓋１７を開けることで切換えスイッチ１４が自動的に切り換わり且つ自動的にリモコン装置１０はリモコン信号を出力するので、このリモコン信号をテレビ１が受信することで、その表示部３やリモコン装置１０の表示部３に、リモコン装置１０の電池１６の残量が少ないことや操作ボタン１１の誤操作が、文字で表示される。従って、ユーザはリモコン装置１０の電池残量が少ないこと、及びリモコンの誤操作を一目して認識することができるので利便性が向上する。
【００２２】
以上、本発明の実施例について詳述したが、本発明は、前記実施例に限定されるものではく、本発明の要旨の範囲内で種々の変形実施が可能である。例えば、前記実施例では、表示部の表示形態として文字で表した場合を示したが、文字以外でも記号やマークなどの表示形態としてもよい。
【図面の簡単な説明】
【００２３】
【図１】本発明の一例におけるリモコン装置の斜視図である。
【図２】同上、電池収納部の正面図である。
【図３】同上、電池収納部の断面図である。
【図４】同上、蓋を開いた状態のリモコン装置の斜視図である。
【図５】同上、電池蓋を開けた際にリモコン装置からリモコン信号がテレビに出力されている状態を示す遠隔操作システムの説明図である。
【符号の説明】
【００２４】
１  テレビ（映像表示装置）
１０  リモコン装置
１１  操作ボタン
１３  ＬＥＤ（発光手段）
１４  切換えスイッチ
１５  電池収納部
１６  電池
１７  電池蓋
２０  遠隔操作システム。
２１  表示制御手段
【図１】
2007324854.tif 000003
【図２】
2007324854.tif 000004
【図３】
2007324854.tif 000005
【図４】
2007324854.tif 000006
【図５】
2007324854.tif 000007